(57)【要約】【課題】軸筒内部に収容したシャープペンシル体や消しゴム繰出体を含めた筆記体の交換が行いやすく、またシャープペンシル体に鉛芯を補充したり、あるいは消しゴム繰出体に棒状消しゴムを補充するといった作業を、ユーザーが簡単に行なえる構造のスライド繰出式多芯筆記具を提供する。【解決手段】軸筒４の後端部にヒンジで接続した蓋体８により切欠窓３ｂ，３ｃの後端を開閉させてシャープペンシル体１０および消しゴム繰出体２０を着脱可能とし、前記切欠窓より突出させた操作部材１１，２１の突部１１ｂ，２１ｂをスライドさせることにより、シャープペンシル体１０または消しゴム繰出体２０を前進させた上で突部１１ｂ，２１ｂをノックすることにより、鉛芯または棒状消しゴム９を繰り出す構造。【選択図】          図１
2010274462.tif 000002
【特許請求の範囲】
【請求項１】
軸部材の前方に鉛芯繰出機構を設け後方に操作部材を設けたシャープペンシル体と、軸部材の前方に棒状消しゴム繰出機構を設け後方に操作部材を設けた消しゴム繰出体とを、前方に先端開口部を有し後方に前記操作体を摺動させる複数の切欠窓を有した軸筒の内部に収容すると共に、前記軸筒の後端部にヒンジで接続した蓋体により前記切欠窓の後端を開閉させて前記シャープペンシル体および消しゴム繰出体を着脱可能とし、前記切欠窓より突出させた前記操作部材の突部をスライドさせることにより、前記シャープペンシル体または消しゴム繰出体を前進させた上で当該突部をノックすることにより、鉛芯または棒状消しゴムを繰り出す構造を特徴としたスライド繰出式多芯筆記具。
【発明の詳細な説明】
【技術分野】
【０００１】
本発明は、軸筒の後端部にヒンジで接続した蓋体を開閉させることにより筆記体を交換可能とし、軸筒に形成した切欠窓から突出する操作部材の突部をスライドさせることにより、筆記体のペン先を軸筒の先端開口部から出没させる構造のスライド繰出式多芯筆記具に関する。
【背景技術】
【０００２】
軸筒の後端部にヒンジで接続した蓋体を開閉することにより、軸筒内に複数収容した筆記体をユーザーの好みに応じて交換できる構造のスライド繰出式多芯筆記具が、例えば特開２００７−３８６３５号公報に開示されており、市場にも商品が存在している。前記特開２００７−３８６３５号公報に記載されている構造の筆記具は、蓋体を開閉することで簡単に筆記体を交換できるため利便性がよく、広く普及されており、その筆記体としてはボールペンやシャープペンシルあるいはマーカーペン等が考えられている。特にシャーペンシルは書き消しを簡単に行なえることから、ノートや手帳に筆記する機会が多い学生や会社員から、前述の蓋体を有した構造の筆記具へ組込まれることが強く求められている。しかしながら前記特開２００７−３８６３５号公報に記載されている構造の筆記具では、軸筒の後端が開閉式の蓋体になっていることから、単体のシャープペンシルのように軸筒の後端部に消しゴムを装着することが困難であった。また仮に、蓋体に消しゴム受部を形成して消しゴムを装着できたとしても、そのような構造では筆記と消去を繰り返す度に軸筒を反転させるという煩わしさがあった。
【０００３】
尚、実開昭６４−８５８００号公報に開示されているように、軸筒内に棒状消しゴム繰出体を備えた複合筆記具も存在しているが、棒状消しゴム繰出体を含めた筆記体を交換する場合やあるいはシャープペンシル体に鉛芯を補充する場合には、軸筒の前軸と後軸とを分割する作業が必要であり手間が掛かるという問題があった。
【先行技術文献】
【特許文献】
【０００４】
【特許文献１】特開２００７−３８６３５号公報
【特許文献２】実開昭６４−８５８００号公報
【発明の概要】
【発明が解決しようとする課題】
【０００５】
本発明の目的は、軸筒内部に収容したシャープペンシル体や消しゴム繰出体を含めた筆記体の交換が行いやすく、またシャープペンシル体に鉛芯を補充したり、あるいは消しゴム繰出体に棒状消しゴムを補充するといった作業を、ユーザーが簡単に行なえる構造のスライド繰出式多芯筆記具を提供することを目的とする。
【課題を解決するための手段】
【０００６】
本発明は、
「軸部材の前方に鉛芯繰出機構を設け後方に操作部材を設けたシャープペンシル体と、軸部材の前方に棒状消しゴム繰出機構を設け後方に操作部材を設けた消しゴム繰出体とを、前方に先端開口部を有し後方に前記操作体を摺動させる複数の切欠窓を有した軸筒の内部に収容すると共に、前記軸筒の後端部にヒンジで接続した蓋体により前記切欠窓の後端を開閉させて前記シャープペンシル体および消しゴム繰出体を着脱可能とし、前記切欠窓より突出させた前記操作部材の突部をスライドさせることにより、前記シャープペンシル体または消しゴム繰出体を前進させた上で当該突部をノックすることにより、鉛芯または棒状消しゴムを繰り出す構造を特徴としたスライド繰出式多芯筆記具。」である。
【発明の効果】
【０００７】
本発明は前述した構造なので、軸筒内へのシャープペンシル体や消しゴム繰出体の着脱が容易となり、必要に応じて、例えば芯径の異なるシャープペンシル体に付け替えたりシャープペンシル体に鉛芯を補充したり、あるいは消しゴム繰出体に棒状消しゴムを補充するといった作業を、ユーザーが簡単に行なえるものとなった。
【図面の簡単な説明】
【０００８】
【図１】図１は、本実施例のスライド繰出式多芯筆記具であり、シャープペンシル体と消しゴム繰出体とを取り外した状態の斜視図である。
【図２】図２は、本実施例のスライド繰出式多芯筆記具の断面図である。
【図３】図３は、消しゴム繰出体を操作した状態の斜視図である。
【図４】図４は、消しゴム繰出体を操作した状態の断面図である。
【図５】図５は、シャープペンシル体を操作した状態の断面図である。
【図６】図６は、消しゴム繰出体の詳細を示す断面図である。
【図７】図７は、消しゴム繰出体の繰出機構を説明する図である。
【図８】図８は、消しゴム繰出体の繰出機構で棒状消しゴムを繰り出した状態を示す図である。
【発明を実施するための形態】
【０００９】
以下、図面を参照して本発明の実施例を説明する。尚、図面中の同じ部材、同じ部品については同じ番号を付してある。本実施例の説明においては図面の下方を前方と表現し、反対側を後方と表現する。
【実施例】
【００１０】
図１，図２に示すようにスライド繰出式多芯筆記具１は、前軸２の雌螺子部２ａと後軸３の雄螺子部３ａとを螺合して構成した軸筒本体４の後方に、軸芯に沿った方向に開口した３つの切欠窓３ｂ、３ｃ、３ｄを形成してあり、軸筒４内に収容するシャープペンシル体１０，消しゴム繰出体２０，ボールペン体４０に設けた操作部材１１，２１，４１を前記切欠窓３ｂ，３ｃ，３ｄへ摺動可能に配設する構造である。尚、図２は、軸筒４内のシャープペンシル体１０と、消しゴム繰出体２０が見られるような断面としてあり、ボールペン体４０は省略してある。シャープペンシル体１０および消しゴム繰出体２０は、軸部材１２，２２を、後軸３内のコイルスプリング６ａ，６ｂおよび後軸４内に装着した隔壁部材５の底面５１に形成した貫通孔５ａ，５ｂに挿通させて配設してある。コイルスプリング６ａ，６ｂは、隔壁部材５の底面５１および操作部材１１，２１の支持部１１ａ，２１ａに当接させ、シャープペンシル体１０および消しゴム繰出体２０を軸筒４の後方へ弾発する構造としてある。
【００１１】
また、図１に示すように、後軸３の後方部にはクリップ７の基部７ａを延出してあり、クリップ７の基部７ａの上部に、蓋体８の蓋本体部８ａに延設した脚部８ｂを回動可能なヒンジ構造として保持させてある。尚、蓋本体部８ａには二つの掛止孔８ｃを設けてあり、蓋本体部８ａを閉じた状態においては、後軸３に形成した二つの掛止爪３ｅを蓋本体部８ａの掛止孔８ｃに掛止させて、図２に示す軸筒４内のコイルスプリング６ａ，６ｂで弾発されたシャープペンシル体１０と、消しゴム繰出体２０とが飛び出さないように蓋本体部８ａで押さえてある。
【００１２】
次に、本実施例のスライド繰出式多芯筆記具における繰出操作について説明を行う。図３に示すように、操作部材２１の突部２１ｂを前進させた消しゴム繰出体２０は、軸筒４の前軸２に設けた先端開口部２ｂから、棒状消しゴム９を突出させている。図３を断面とした図４を用いて詳述すると、消しゴム繰出体２０の棒状消しゴム９を前軸２の先端開口部２ｂから突出させる状態では、操作部材２１の後方内側に形成した係止突起２１ｃが、後軸３の内面に形成した係止受部３ｆに係止して、棒状消しゴム９が軸筒４の先端開口部２ａから突出した状態を維持できる。この状態から、操作部材１１の突部１１ｂを内側に押圧しながら前方へスライドさせることで、操作部材１１に形成した係止解除突起１１ｄにより後軸３の係止受部３ｆに係止してある操作部材２１の係止突起２１ｃを解除して、消しゴム繰出体２０の棒状消しゴム９を軸筒４内に没入させ、さらに操作部材１１を前進させることにより、操作部材１１の後端部に形成した係止突起１１ｃを後軸３の係止受部３ｆに係止させ、図５に示すようにシャープペンシル体１１の先端を軸筒４の先端開口部２ｂから突出した状態を維持できる。このような出没操作は、後軸３の切欠窓３ｂ，３ｃから突出させた各操作部材の突部をスライドさせることによって行うことができる。尚、本実施例のシャープペンシル体１１の鉛芯繰出機構部１３は、操作部材１１のノックにより、軸部材１２を介して鉛芯繰出機構部１３の前方部を前軸２の内面に当接させて、鉛芯（図示せず）を繰り出す、一般的なシャープペンシル機構であるため説明は省略する。
【００１３】
次に、図６および図１を用いて、本実施例における消しゴム繰出体２０の構造について説明を行う。消しゴム繰出体２０は、操作部材２１に連結した軸部材２２の前方に、棒状消しゴム繰出機構２３を装着してある。棒状消しゴム繰出機構部２３は、軸部材２２に嵌着した継手部材２４と、継手部材２４の前方部を摺動可能に内在させた後部外筒２５と、後部外筒２５の雄螺子部２５ａに雌螺子部２６ａを螺合させた前部外筒２６と、前部外筒２６の先端部を圧入させたガイドパイプ２７とで外観を構成してある。また継手部材２４の前方開口部２４ａには、軸心に沿った複数のスリット（図示せず）を前方に設けてあるチャック部材２８の後端圧入部２８ａを圧入して固定してあり、チャック部材２８の外周にコイルスプリング３０を配設して、コイルスプリング３０の前後端を後部外筒２５の段部２５ｂと継手部材２４の前端に当接させることにより、チャック部材２８を常時後方へ弾発させてある。またチャック部材２８の前端部には、チャック部材２８の弾性力により外方へ拡がるように設定した締め部２８ｂを設けてあり、前部外筒２６の内部に配設した締めリング２９により楔状の締め部２８ｂを締め付けるようにして、軸心に配した押棒３１を保持させ、前部外筒２６の前方内面に装着したパッキン３２により押棒３１を挟持させる構造としてある。また、押棒３１の前方部は棒状消しゴム９に挿着して固定してあり、棒状消しゴム９はガイドパイプ２７内を前後動可能としてある。
【００１４】
次に、図７，図８を参照して本実施例における消しゴム繰出体２０の繰出機構について説明を行う。操作部材２１をスライドさせて棒状消しゴム９を前軸２の先端開口部２ｂから突出させた状態で、突部２１ｂをノックすると（図４参照）、軸部材２２を介して継手部材２４の突出部２４ｂが後部外筒２５の後端に当接するまで継手部材２４が押圧され、継手部材２４に連結したチャック部材２８を前進させ、締め部２８ｂを締め付けている締めリング２９の後端が後部外筒２５の前端に当接した状態から（図６の状態）、締めリング２９の前端が前部外筒２６の内面に形成した段部２６ｂに当接して締め部２８ｂを開放するまで押棒３１を前進させ、締めリング２９の移動距離Ｌ分だけ棒状消しゴム９を突出できる構造である。尚、図７の状態は、図４に示した操作部材２１をノックした瞬間の状態の図で、この状態においてパッキン３２が押棒３１を挟持することから、棒状消しゴム９がガイドパイプ２７から自重で抜け落ちてしまうことはない。図８は、図７のノック操作を３回繰り返して、締めリング２９の移動距離Ｌの３倍の棒状消しゴム９を突出させた状態である。図８の状態は、図４に示した操作部材２１のノックを開放した状態の図であり、コイルスプリング３０の弾発力で継手部材２４およびチャック部材２８を後退させ、再度締めリング２９で締め部２８ｂを締め付け押棒３１を保持している。したがって、図３に示す使用状態において、棒状消しゴム９で消すときに垂直の力が掛かっても、棒状消しゴム９が軸筒４内に潜り込むことはない。
【産業上の利用可能性】
【００１５】
本発明は、軸筒の太さを太くすることによって、軸筒内に収容できる筆記体の本数を増やして、芯径や筆記色の異なる複数のシャープペンシル体を収容したり、直径の異なる棒状消しゴムを備えた複数の消しゴム繰出体を収容して、利便性を向上させることができる。
【符号の説明】
【００１６】
１…スライド繰出式多芯筆記具、
２…前軸、２ａ…雌螺子部、２ｂ…先端開口部、
３…後軸、３ａ…雄螺子部、
３ｂ，３ｃ，３ｄ…切欠窓、３ｅ…掛止爪、３ｆ…係止受部、
４…軸筒本体、
５…隔壁部材、５１…底面、５ａ，５ｂ…貫通孔、
６ａ，６ｂ…コイルスプリング、
７…クリップ、７ａ…基部、
８…蓋体、８ａ…蓋本体部、８ｂ…脚部、８ｃ…掛止孔、
９…棒状消しゴム、
１０…シャープペンシル体、
１１…操作部材、１１ａ…支持部、１１ｂ…突部、１１ｃ…係止突起、
１１ｄ…係止解除突起、
１２…軸部材、１３…鉛芯繰出機構部、
２０…消しゴム繰出体、
２１…操作部材、２１ａ…支持部、２１ｂ…突部、２１ｃ…係止突起、
２２…軸部材、２３…棒状消しゴム繰出機構、
４０…ボールペン体、４１…操作部材、
２４…継手部材、２４ａ…前方開口部、２４ｂ…突出部、
２５…後部外筒、２５ａ…雄螺子部、２５ｂ…段部、
２６…前部外筒、２６ａ…雌螺子部、２６ｂ…段部、
２７…ガイドパイプ、
２８…チャック部材、２８ａ…後端圧入部、２８ｂ…締め部、
２９…締めリング、３０…コイルスプリング、３１…押棒、３２…パッキン。
【図１】
2010274462.tif 000003
【図２】
2010274462.tif 000004
【図３】
2010274462.tif 000005
【図４】
2010274462.tif 000006
【図５】
2010274462.tif 000007
【図６】
2010274462.tif 000008
【図７】
2010274462.tif 000009
【図８】
2010274462.tif 000010